(57)【特許請求の範囲】
【請求項１】
タオル取出口及び取込口を有するキャビネット内に、未使用のロール状タオルを回転自在に載置するタオルベッドと、該タオルベッドより下方に配置された昇降自在な巻取軸と、該巻取軸に巻き取られるタオル巻取部分の表面に当接する駆動ローラとを備え、タオルベッドから取出口を経てキャビネット外部に引き出されたタオルを、駆動ローラの回転により取込口から巻取軸に巻き取るキャビネットタオル配与機において、
タオルベッドを昇降自在とし、巻取軸に巻き取られるタオル巻取り部分の上面にタオルベッドの下面を当接させ、巻取軸のタオル巻取量の増加に伴ってタオルベッドを押し上げるように構成し、
空状態のタオルベッドを昇降行程の中間位置に保持する付勢手段を備え、低位の行程では上向きに、高位の行程では下向きにタオルベッドを付勢するようにしていることを特徴とするキャビネットタオル配与機。
【発明の詳細な説明】
【０００１】
【発明の属する技術分野】
この発明はキャビネットタオル配与機に関し、詳しくは、タオル取出口及び取込口を有するキャビネット内に、未使用のロール状タオルを回転自在に載置するタオルッベッドと、該タオルベッドより下方に配置された昇降自在な巻取軸と、該巻取軸に巻き取られるタオル巻取部分の表面に当接する駆動ローラとを備え、タオルベッドから取出口を経てキャビネット外部に引き出されたタオルを、駆動ローラの回転により取込口から巻取軸に巻き取るキャビネットタオル配与機に関する。
【０００２】
【従来の技術】
この種キャビネットタオル配与機の従来技術としては、たとえば特公平５−４３３６８号がある。図９に示すようにタオル取出口５及び取込口６を有するキャビネット１内に、ロール状タオル７が回転自在に載置されるタオルベッド１０と、該タオルベッド１０の下方に昇降自在に配置された巻取軸１１と、該巻取軸１１に巻き取られるタオル巻取部分７ｂの表面に当接して巻取軸１１を回転させる駆動ローラ１３等を備えている。タオルベッド１０は上開きの部分円筒状に形成されると共にキャビネット１に固定されており、巻取軸１１はキャビネット１の側壁に形成されたガイド溝１５に摺動自在に支持されている。
【０００３】
タオルベッド１０の前上方には上部ローラ１２が回転自在に配置され、これと上記駆動ローラ１３は同一外径に形成されると共にタイミングベルト１９により同一速度で回転するように連動連結してある。駆動ローラ１３の表面にはサンドペーパが被覆されており、巻取軸１１のタオル巻取部分７ｂの表面に常時接触し、駆動ローラ１３が矢印Ｘ１方向に回転することにより、巻取軸１１を矢印Ｍ方向に回転させ、タオル７を巻き取るようになっている。
【０００４】
ロール状タオル７は上部ローラ１２及び取出口５を経てキャビネット外部に取り出され、タオル取出部分７ａはＵ字状に垂下した後、取込口６を経て巻取軸１１に巻き付けられている。
【０００５】
タオル取出部分７ａを下方へ引き出すことにより上部ローラ１２が回転し、これに伴い駆動ローラ１３も同一速度で同方向に回転し、タオル巻取部分７ｂを介して巻取軸１１を矢印Ｍ方向に回転させ、引出量と同等長さのタオル取出部分７ａを巻き取る。
【０００６】
【発明が解決しようとする課題】
図９のタオルベッド１０は、キャビネット１の定まった位置に固定されているため、タオルベッド１０の上方には、常に全巻状態のロール状タオル７を収納でき、かつ出し入れできる空間を確保する必要があり、タオルベッド１０の下方には、常に全巻状態の使用済みのタオル巻取部分７ｂを収納でき、かつ出入れできる空間を確保しておく必要があり、キャビネット１の上下方向の長さが大型化せざるを得ない。
【０００７】
【発明の目的】
本願発明は、キャビネットを小型化すると共に、使用始から使用終まで、常にタオルを円滑に引き出せるようにすることを目的としている。
【０００８】
【課題を解決するための手段】
前記課題を解決するため、本願請求項１記載の発明は、タオル取出口及び取込口を有するキャビネット内に、未使用のロール状タオルを回転自在に載置するタオルベッドと、該タオルベッドより下方に配置された昇降自在な巻取軸と、該巻取軸に巻き取られるタオル巻取部分の表面に当接する駆動ローラとを備え、タオルベッドから取出口を経てキャビネット外部に引き出されたタオルを、駆動ローラの回転により取込口から巻取軸に巻き取るキャビネットタオル配与機において、
タオルベッドを昇降自在とし、巻取軸に巻き取られるタオル巻取り部分の上面にタオルベッドの下面を当接させ、巻取軸のタオル巻取量の増加に伴ってタオルベッドを押し上げるように構成し、
空状態のタオルベッドを昇降行程の中間位置に保持する付勢手段を備え、低位の行程では上向きに、高位の行程では下向きにタオルベッドを付勢するようにしている。
【００１０】
【発明の実施の形態】
図１〜図７は、本願請求項１及び２記載の発明を適用したキャビネットタオル配与機であり、前記図９で説明した部品と同じ名称の部品には同じ符号を付しており、縦断側面図を示す図３において、キャビネット１はキャビネット本体２と正面側のカバー３より構成されており、カバー３は上端部のヒンジ部４を介して本体２に回動自在に支持されており、本体２に対して前上方へと開くことができるようになっている。カバー３の前面の下部にはタオル取出口５が形成され、取出口５より後方の下面には取込口６が形成されている。
【００１１】
キャビネット本体２にはカバー３内に突出する左右１対の支持壁９が設けられている。支持壁９の前上端部には供給側の上部ローラ１２が回転自在に支持され、支持壁９の下端部には、上記上部ローラ１２よりも後方位置に駆動ローラ１３が回転自在に支持され、両ローラ１２，１３は、同一外径に形成されると共に図２に示すように軸方向の端部にそれぞれタイミングギヤ１７,１８が一体的に設けられており、両ギヤ１７,１８に掛け回されたタイミングベルト１９により、同一速度で同方向に回転するように連動連結してある。なお、本実施の形態では、左右に１対ずつ設けられたタイミングギヤ１７，１８のうち、一方のタイミングギヤ１７，１８のみにタイミングベルト１９を掛け回してあるが、動力伝達機能としては一方のみで十分に機能する。
【００１２】
駆動ローラ１３の上側には巻取軸１１が配置されており、該巻取軸１１の左右軸端部は、左右の支持壁９に形成されガイド溝１５に溝方向移動可能かつ回転可能に嵌め込まれている。ガイド溝１５は、図３に示すようには駆動ローラ１３の部分からタイミングベルト１９と平行に上部ローラ１２側へと前傾状に延びており、ガイド溝１５の上端部は前方へと開口する開口部１５ａに連通しており、巻取軸１１の左右軸端部を、開口部１５ａからガイド溝１５内へと嵌め込むことができるようになっている。
【００１３】
タオルベッド１０は、その底壁が水平姿勢よりも少し後下がり状に傾斜しており、タオルベッド後壁の左右両端部には、厚肉板状のスライド支持部２０が一体に形成されている。スライド支持部２０の後面には、タオルベッド１０の左右の振れを規制するために上下１対の後部ガイド輪２２が設けられており、左側スライド支持部２０の左側面並びに右側スライド支持部２０の右側面には、タオルベッド１０の前後の振れを規制するために上下１対の側部ガイド輪２３が設けられている。左右の支持壁９には垂直に延びるガイド溝２５が形成されており、図６に示すように該ガイド溝２５内に上下方向転動自在に前記側部ガイド輪２３が収納されている。後部ガイド輪２２は支持壁９の側面に転動自在に当接している。すなわち、タオルベッド１０は、左右のスライド支持部２０を介してし一定行程の間で昇降自在に支持壁９に支持されている。
【００１４】
上記ガイド溝２５内には、図３のようにタオルベッド１０を上下からそれぞれ付勢する付勢手段として上側の第１コイルばね２６と、下側の第２コイルばね２７が配置されている。上側の第１コイルばね２６はその上端がガイド溝２５の上端壁に脱落不能に取り付けられ、下端はスライド支持部２０の上端に形成されたばね受け２８に離反可能に当接している。下側の第２コイルばね２７はその下端がガイド溝２５の下壁に固着され、上端がスライド支持部２０の下端に形成されたばね受け２９に離反可能に当接している。タオルベッド１０が空状態のときには、図３のようにスライド支持部２０が昇降行程の上下方向の概ね中央部に位置するように保持され、該中立位置から下降するときには下側の第２コイルばね２７を圧縮し、上昇するときには、上側の第１のコイルばね２６を圧縮するようになっている。
【００１５】
また、図４に示すように、タオルベッド１０に全巻状態のロール状タオル７を載せた時に、第２のコイルばね２７を圧縮しながらタオルベッド１０は下降して、タオルベッド下面が一定の圧で空の巻取軸１１の上面に当接しうるように第２コイルばね２７の強さが設定され、かつ、上側の第１コイルばね２６は、少し伸長した状態であってその下端がスライド支持部２０の上端ばね受け２９からが離れた状態となるように設定されている。
【００１６】
上部ローラ１２から少し間隔をおいた前下方位置には、小径の供給側テンションローラ３０が回転自在に支持壁９に支持され、一方、駆動ローラ１３の下方であって取込口６の近傍には、小径の巻取側テンションローラ３１がカバー３に支持され、巻取側テンションローラ３１と駆動ローラ１３の間には、後方から板状のガイド板３３が突入しており、ガイド板３３の前端部は丸く形成されている。
【００１７】
駆動ローラ１３の表面には、摩擦係数を高くするために多数の堅い繊維製突起を有する布テープ等が巻かれている。
【００１８】
ロール状タオルをセット方法を説明する。図３において、カバー３を前上方へと開いて新しいロール状のタオル７をタオルベッド１０の上に載せる。そうするとタオルベッド１０はロール状タオル７の重量により第２のコイルばね２７に抗して下降する。
【００１９】
図４のように、タオルベッド１０の前部分からロール状タオル７の始端部を上方へと引き出し、供給側テンションローラ３０の前面に係合した後、上部ローラ１２に後側から上面へと掛け回すと共に前端で下方へと垂らし、前記供給側テンションローラ３０の前面に再度係合した後、取出口５からキャビネット外部へと取り出す。上記供給側テンションローラ３０部分では、結局２重にタオルを係合していることになる。
【００２０】
取出口５から下方に取り出したタオル取出部分７ａを後ろ側へとＵ字状に垂らし、取込口６から巻取側テンションローラ３１の後面を介し、巻取軸１１に矢印Ｍ方向に巻き付ける。この時、巻取軸１１はガイド溝１５から外されており、上記タオルを巻き付けた後、開口部１５ａからガイド溝１５内にはめ込み、その表面のタオル巻取部分７bを下方の駆動ローラ１３に当接させる。該タオル巻取部分７ｂの上面には、前記のようにロール状タオル７を載置したタオルベッド１０が下降して、その下面が当接する。
【００２１】
カバー３を閉じることにより、巻取側テンションローラ３１によってガイド突起３３の下側のタオル部分を押え、これにより一定の緊張状態を保つ。
【００２２】
使用時の動作を説明する。Ｕ字型に垂れ下がったタオル取出部分７ａで手を拭いた後、次の人のためにタオル部分７ａを下方へと引き出すと、タオルベッド１０上でロール状タオル７がＦ方向に回転すると同時に、上部ローラ１２がタオルとの摩擦によりＸ１方向へと回転する。そうすると、タイミングベルト１９を介して駆動ローラ１３も上部ローラ１２と同速度でＸ１方向に回転し、これに接触しているタオル巻取部分７bの表面を介して巻取軸１１を矢印Ｍ方向に回転させ、引き出したタオル長さと同じ長さの使用済みタオル取出部分７ａを巻き取る。これによりＵ字形に垂下したタオル取出部分７aは常に一定の長さに保たれる。
【００２３】
上記動作中において、供給側テンションローラ３０の前面でタオル同士を接触させており、かつ、後側のタオル部分が上方へと移動するのに対し前側のタオル部分は下方へと移動するため、後側のタオル部分の上方への移動を軽く制動することになる。これにより、たとえロール状タオル７がその慣性によりＦ方向に過回転しても、上部ローラ１２へタオルを繰出し過ぎることはなくなり、上部ローラ１２と供給側テンションローラ３０との間は、常に一定のテンションが保たれ、皺がよったりつづれ折り状態になったりすることはない。
【００２４】
一方、巻取軸１１側では、巻取側テンションローラ３１とガイド突起３３により一定のテンションが付与されており、巻取軸１１に巻き取られるタオル部分７bが緩むことはなく、しっかりと巻き取られる。
【００２５】
タオルを使用するに従い、タオルベッド１０上の未使用のロール状タオル７の径は小さくなり、一方、巻取軸１１のタオル巻取部分７ｂの径は大きくなり、該タオル巻取部分７ｂの径の増加に伴い、タオルベッド１０は押し上げられてゆく。
【００２６】
使用の前半期間、すなわち押上行程が図３の中立位置より低位の行程においては、未使用のロール状タオル７の重量は大きく、この重量と下側の第２コイルばね２７の付勢力との均衡により、タオルベッド１０は安定状態に保持されており、したがって、タオル取出部分７ａを手荒く引き出してロール状タオル７が踊っても、タオルベッド１０が上下にがたつくことはなく、円滑にタオルを引き出すことができる。
【００２７】
使用の後半期間、すなわち図５のようにタオルベッド１０が中立位置を越えた高位の行程においては、未使用のロール状タオル７の重量が小さくなり、タオルベッド１０を押さえる力は減少するが、第２のコイルばね２７がスライド支持部２０から離れて作用しなくなる一方、上側の第１のばね２６が作用して、タオルベッド１０を下方へと押し付けて安定状態に保持する。また、タオルベッド１０の底壁は後下がり傾斜状であるので、ロール状タオル７の径が小さくなっても常に後壁に当接する後寄りに位置している。
【００２８】
タオルの使用終了時には、図５の仮想線で示すように巻取軸１１のタオル巻取り部分７ｂの径は最大となると共にタオルベッド１０は最大高さまで押し上げられている。カバー３を開いて使用済みのタオル巻取部分７ｂを巻取軸１１と共に前方へと抜き出す。
【００２９】
【その他の実施の形態】
（１）図示の実施の形態では、取出口５と取込口６は別々に形成されていたが、両口兼用の大きな開口を形成した構造のものにも適用できる。
【００３０】
（２）図示の実施の形態では、付勢手段として上下に圧縮用のコイルばね２６，２７を配置してるが、上下にひっぱりばねを装着することも可能であり、また、図８に示すようにやじろべー型のまきばね４０を上下に装着することも可能である。
【００３１】
【発明の効果】
以上説明したように本願発明によると次のような利点がある。
（１）未使用のロール状タオル７を載置するタオルベッド１０を昇降自在として、下側の巻取軸１１に巻き取られるタオル巻取部分７ｂの上面に当接させ、使用に伴ってタオル巻取部分７ｂの径が増加することによりタオルベッド１０を押し上げるようにしているので、キャビネット１５内の限られた空間において、タオルベッド１０上のロール状タオル７が小さくなるに従いこれを収納する空間は小さくなっていき、一方、巻取軸１１のタオル巻取部分７ｂが大きくなるに従いこれを収納する空間は大きくなる。すなわち、ロール状タオル７と巻取部分７ｂのそれぞれの体積の変化に合わせて、キャビネット１内の限られた空間を流動的に有効利用でき、キャビネットのコンパクト化、特に上下方向の寸法の短縮化を達成することができる。
【００３２】
（２）下側に配置された巻取軸１１に巻き取られるタオル巻取部分７ｂの外周面をタオルベッド１０の下面に当接させるので、巻取り径の増加に対応してタオルベッド１０を上昇させることができる共に、タオルベッド１０の下側収納空間は無駄無く利用することができ、空間の利用効率がよい。
【００３３】
（３）巻取り側のタオル巻取部分７ｂの表面にタオルベッド１０を当接させるので、タオル巻取部分７ｂにたるみやしわが生じるのを防ぐことができる。
【００３４】
（４）使用前期においてタオルベッド１０が低位の時には、ロール状タオル７の重量によりタオルベッド１０を下方へ押さえ付けて安定させると共に、下側の第２コイルばね２７により押上作用を助けており、これによりがたつくことなくかつ円滑に使用することができ、一方、使用後期においては、ロール状タオル７が軽くなるが、上側の第１のコイルばね２６でタオルベッド１０を下方へと押さえ付けるので、やはり安定状態を保つことができる。
【図面の簡単な説明】
【図１】  本願発明を適用したキャビネットタオル配与機の正面図である。
【図２】  図１のキャビネットタオル配与機のカバーを開いた状態の正面図である。
【図３】  図１のIII−III断面図である。
【図４】  ロール状タオルをセットした直後の状態を示す図３と同じ部分の断面図である。
【図５】  使用後期の状態を示す図３と同じ部分の断面図である。
【図６】  図３のVI−VI断面拡大図である。
【図７】  図３のVII−VII断面拡大図である。
【図８】  付勢手段の変形例を示す正面略図である。
【図９】  従来例の斜視図である。
【符号の説明】
１  キャビネット
２  キャビネット本体
３  カバー
５  取出口
６  取込口
７  ロール状タオル
７ｂ  タオル巻取部分
１０  タオルベッド
１１  巻取軸
１２  上部ローラ
１３  駆動ローラ
２６，２７  第１，第２コイルばね（付勢手段）
４０  付勢手段
【図１】
0003834137.tif 000002
【図２】
0003834137.tif 000003
【図３】
0003834137.tif 000004
【図４】
0003834137.tif 000005
【図５】
0003834137.tif 000006
【図６】
0003834137.tif 000007
【図７】
0003834137.tif 000008
【図８】
0003834137.tif 000009
【図９】
0003834137.tif 000010